(57)【要約】【課題】特に最上段の棚に載置された商品見本に対応する冷温表示の可視範囲を拡大させて、冷温情報を種々の利用者に視認させることができる自動販売機を提供すること。【解決手段】商品見本Ｓとともに視認可能に配設され、かつ該商品見本Ｓの冷温情報を表示する表示パネル２１，２２と、商品見本Ｓ毎に配設され、商品を選択するための商品選択ボタン（９）とを備え、いずれかの商品選択ボタン（９）が押下された場合に、与えられた金銭に関する情報が販売価格以上であることを条件として、該商品選択ボタン（９）に対応する商品を機内から払い出して販売する自動販売機において、少なくとも最上段の棚６に配設された商品見本Ｓに対応し、かつ表示パネル２２に表示された冷温情報を、前方側下方域に反射させる天面鏡３０を備えたものである。【選択図】図６
2010238075.tif 000002
【特許請求の範囲】
【請求項１】
商品見本とともに視認可能に配設され、かつ該商品見本の冷温情報を表示する表示パネルと、
前記商品見本毎に配設され、商品を選択するための商品選択ボタンと
を備え、
いずれかの商品選択ボタンが押下された場合に、与えられた金銭に関する情報が販売価格以上であることを条件として、該商品選択ボタンに対応する商品を機内から払い出して販売する自動販売機において、
少なくとも最上段の棚に配設された前記商品見本に対応し、かつ前記表示パネルに表示された冷温情報を、前方側下方域に反射させる鏡部材を備えたことを特徴とする自動販売機。
【請求項２】
前記表示パネルは、商品見本の冷温表示だけでなく該商品見本の価格情報を表示するものであり、
前記鏡部材は、前記冷温情報だけでなく前記商品見本に対応した価格情報を、前方側下方域に反射させることを特徴とする請求項１に記載の自動販売機。
【請求項３】
前記鏡部材は、前記商品見本を収容する収容域を画成する天面に配設され、最上段の棚に配設された商品見本に対応する冷温情報及び価格情報を、前方側下方域に反射させることを特徴とする請求項２に記載の自動販売機。
【発明の詳細な説明】
【技術分野】
【０００１】
本発明は、自動販売機に関するものである。
【背景技術】
【０００２】
例えば、金銭等が投入されることにより自動的に飲料等の所望の商品を販売する自動販売機は、多種多様なものが開発されており、商品購入の手軽さや管理の容易さ、僅かな設置面積、販売に要する人件費の削減等の理由により、各地に数多く普及している。
【０００３】
そのような自動販売機は、前面が開口した直方状をなして内部に商品を収納する自動販売機本体と、この自動販売機本体の前面開口を開閉し、かつ自動販売機自身の前面を構成する外扉とを備えて構成されており、外扉には、ディスプレイウィンドウ及び商品選択ボタンが設けられている。
【０００４】
ディスプレイウィンドウは、外扉の内部において複数段の棚に載置された商品見本、並びに商品見本毎に対応して表示された冷温情報及び価格情報を前方より視認可能とする窓である。商品選択ボタンは、商品見本毎に設けられており、利用者が購入商品を選択するための押釦スイッチである。
【０００５】
かかる自動販売機では、投入された金銭が商品の販売価格以上であれば、押下された商品選択ボタンに対応する商品を自動販売機本体の内部から払い出して販売する（例えば、特許文献１参照）。
【先行技術文献】
【特許文献】
【０００６】
【特許文献１】特開２００６−２４４３６７号公報
【発明の概要】
【発明が解決しようとする課題】
【０００７】
ところが、上述したような自動販売機では、商品見本毎に対応して表示された冷温情報は、前方より視認可能となるように構成されていたために、例えば背の低い子供や車いす利用者が当該自動販売機で商品を購入しようとする場合、次のような問題があった。すなわち、最上段の棚に載置された商品見本毎に対応して表示された冷温情報は、商品選択ボタンの死角に位置してしまい、目視することが困難な場合があった。
【０００８】
本発明は、上記実情に鑑みて、特に最上段の棚に載置された商品見本に対応する冷温表示の可視範囲を拡大させて、冷温情報を種々の利用者に視認させることができる自動販売機を提供することを目的とする。
【課題を解決するための手段】
【０００９】
上記目的を達成するために、本発明の請求項１に係る自動販売機は、商品見本とともに前方より視認可能に配設され、かつ該商品見本の冷温情報を表示する表示パネルと、前記商品見本毎に配設され、商品を選択するための商品選択ボタンとを備え、いずれかの商品選択ボタンが押下された場合に、与えられた金銭に関する情報が販売価格以上であることを条件として、該商品選択ボタンに対応する商品を機内から払い出して販売する自動販売機において、少なくとも最上段の棚に配設された前記商品見本に対応し、かつ前記表示パネルに表示された冷温情報を、前方側下方域に反射させる鏡部材を備えたことを特徴とする。
【００１０】
また、本発明の請求項２に係る自動販売機は、上述した請求項１において、前記表示パネルは、商品見本の冷温表示だけでなく該商品見本の価格情報を表示するものであり、前記鏡部材は、前記冷温情報だけでなく前記商品見本に対応した価格情報を、前方側下方域に反射させることを特徴とする。
【００１１】
また、本発明の請求項３に係る自動販売機は、上述した請求項２において、前記鏡部材は、前記商品見本を収容する収容域を画成する天面に配設され、最上段の棚に配設された商品見本に対応する冷温情報及び価格情報を、前方側下方域に反射させることを特徴とする。
【発明の効果】
【００１２】
本発明によれば、鏡部材が、少なくとも最上段の棚に配設された前記商品見本に対応し、かつ表示パネルに表示された冷温情報を前方側下方域に反射させるので、冷温表示の可視範囲を拡大させることができ、例えば背の低い子供や車いす利用者が当該自動販売機で商品を購入する場合に、これらの者に対しても特に最上段の棚に載置された商品見本のそれぞれの冷温表示を良好に目視させることができ、各商品見本の冷温情報を視認させることができる。従って、特に最上段の棚に載置された商品見本に対応する冷温表示の可視範囲を拡大させて、冷温情報を種々の利用者に視認させることができるという効果を奏する。
【図面の簡単な説明】
【００１３】
【図１】図１は、本発明の実施の形態である自動販売機の正面図である。
【図２】図２は、本発明の実施の形態である自動販売機の内部構造を示す斜視図である。
【図３】図３は、本発明の実施の形態である自動販売機の内部構造を示す斜視図である。
【図４】図４は、図２に示した最上段の棚の構成を示す斜視図である。
【図５】図５は、外扉のディスプレイウィンドウの内方側を模式的に示す側面図である。
【図６】図６は、自動販売機前面の下方側から最上段の棚に載置された商品見本を見た場合を示す説明図である。
【発明を実施するための形態】
【００１４】
以下に添付図面を参照して、本発明に係る自動販売機の好適な実施の形態について詳細に説明する。
【００１５】
図１〜図３は、それぞれ本発明の実施の形態である自動販売機の構成を示したものであり、図１は正面図、図２及び図３は内部構造を示す斜視図である。ここで例示する自動販売機は、缶入り飲料やペットボトル入り飲料等の商品を販売するためのもので、本体キャビネット１を備えている。
【００１６】
本体キャビネット１は、前面が開口した直方状の断熱筐体として形成されたものである。この本体キャビネット１の内部には、複数の独立した商品収容庫２ａ，２ｂ，２ｃが左右に並設してある。これら商品収容庫２ａ，２ｂ，２ｃは、缶入り飲料やペットボトル入り飲料等の商品を所望の温度に維持した状態で収容するためのものである。各商品収容庫２ａ，２ｂ，２ｃには、それぞれの上方部に、商品収納ラック３が配設してある一方、搬出シュータ４によって区画される下方部に、熱交換器（図示せず）が配設してあり、該熱交換器の駆動により、商品収納ラック３に収納された飲料缶やペットボトルを所望の冷却温度、あるいは加熱温度に維持することが可能である。
【００１７】
上記自動販売機には、本体キャビネット１の一側縁部に扉体５を設けてある。扉体５は、本体キャビネット１の前面開口を開閉するためのもので、内扉５ａ、中扉５ｂ及び外扉５ｃを備えて構成してある。内扉５ａは、本体キャビネット１に設けた商品収容庫２ａ，２ｂ，２ｃの前面を覆うに十分な大きさを有したものである。図示の例では、内扉５ａを上下に分割し、それぞれを個別に開閉できるようにしてある。
【００１８】
中扉５ｂは、内扉５ａの前面側に配設したものである。この中扉５ｂには、その前面側上部に販売商品の商品見本Ｓを左右に並べて一列に載置した棚６が上下方向に複数段（図示の例では３段）に並べて配設してある。また、中扉５ｂには、その前面側下部に広告パネル７が配設してある。
【００１９】
外扉５ｃは、本体キャビネット１の前面開口を覆うに十分な大きさを有したものである。この外扉５ｃには、その前面側にディスプレイウィンドウ８、商品選択ボタン９、コイン投入口１０、紙幣挿入口１１、一体表示器１２、コイン返却口１３、商品取出口１４が設けてある。一方、外扉５ｃの後面側には、コインメック１５、コイン回収箱１６、ビルバリデータ１７が設けてある。
【００２０】
ディスプレイウィンドウ８は、中扉５ｂに配置した商品見本Ｓ及び広告パネル７を利用者に視認させるための窓である。商品選択ボタン９は、利用者が購入商品を選択するための押ボタンスイッチであり、ディスプレイウィンドウ８を通じて視認される商品見本Ｓ毎に用意してある。コイン投入口１０は、利用者が硬貨を投入するための開口である。このコイン投入口１０を通じて投入された硬貨は、コインメック１５においてその金種が識別され、その後、コイン回収箱１６に収容されることになる。紙幣挿入口１１は、利用者が紙幣を挿入するための開口である。この紙幣挿入口１１を通じて挿入された紙幣は、ビルバリデータ１７においてその金種が識別されることになる。また上記紙幣挿入口１１は、ビルバリデータ１７において識別できなかった紙幣を返却するための機能を有している。一体表示器１２は、貨幣の投入金額、販売中であるか否か、釣銭があるか否か等、各種情報を利用者に表示するためのものである。コイン返却口１３は、コインメック１５において識別できなかった硬貨、あるいは釣銭となる硬貨を利用者に返却するための開口である。商品取出口１４は、商品収納ラック３から払い出された商品を利用者が受け取るための開口である。
【００２１】
このような自動販売機における棚６のそれぞれの前面には、商品見本Ｓのそれぞれに対応して冷温情報（「ＣＯＬＤ」、「ＨＯＴ」等）並びに価格情報（「１２０」等）を表示する表示パネル２１が配設してある。特に、最上段の棚６には、図４に示すように、上面における商品見本Ｓよりも前方個所に冷温情報及び価格情報の文字を反転させた反転文字が表示された表示パネル２２が配設してある。
【００２２】
また、上記自動販売機には、図５に示すように、外扉５ｃのうちディスプレイウィンドウ８の内方側の天井部近傍には、前方に向かって漸次上方に傾斜する態様で天面鏡（鏡部材）３０が配設され、その鏡面３１が自動販売機の前方側下方域を臨んでいる。つまり、天面鏡３０は、図６に示すように、最上段の棚６の上面に配設された表示パネル２２に表示された冷温情報及び価格情報のそれぞれの文字（反転文字）を自動販売機の前方側下方域に反射させるものである。
【００２３】
以上のような構成を有する自動販売機においては、天面鏡３０が最上段の棚６の上面に配設された表示パネル２２に表示された冷温情報及び価格情報のそれぞれの文字（反転文字）を自動販売機の前方側下方域に反射させるので、冷温表示や価格表示の可視範囲を拡大させることができ、例えば背の低い子供や車いす利用者が当該自動販売機で商品を購入する場合に、これらの者に対しても特に最上段の棚６に載置された商品見本Ｓのそれぞれの冷温表示及び価格表示を良好に目視させることができ、各商品見本Ｓの冷温情報及び価格情報を視認させることができる。従って、特に最上段の棚６に載置された商品見本Ｓに対応する冷温表示の可視範囲を拡大させて、冷温情報を種々の利用者に視認させることができる。
【００２４】
以上、本発明の好適な実施の形態について説明したが、本発明はこれに限定されるものではなく、種々の変更を行うことができる。例えば、上述した実施の形態では、表示パネル２１，２２は、商品見本Ｓ毎の冷温情報及び価格情報を表示するものであったが、本発明では、表示パネルは、商品見本毎の冷温情報のみを表示するものであってもよい。
【００２５】
また、上述した実施の形態では、鏡部材の一例として天面鏡３０を例示したが、本発明では、特に最上段の棚の表示パネルに表示された冷温情報等のそれぞれの文字を自動販売機の前方側下方域に反射させることができれば、その形状、配設位置は特に限られない。
【産業上の利用可能性】
【００２６】
以上のように、本発明に係る自動販売機は、いずれかの商品が選択された場合に、与えられた金銭に関する情報が販売価格以上であることを条件として、該商品を機内から払い出して販売するのに有用である。
【符号の説明】
【００２７】
１  本体キャビネット
５  扉体
５ｃ  外扉
６  棚
９  商品選択ボタン
２１，２２  表示パネル
３０  天面鏡
３１  鏡面
Ｓ  商品見本
【図１】
2010238075.tif 000003
【図２】
2010238075.tif 000004
【図３】
2010238075.tif 000005
【図４】
2010238075.tif 000006
【図５】
2010238075.tif 000007
【図６】
2010238075.tif 000008